(57)【要約】      （修正有）【課題】通知や広告などの静的な印刷画像のような画像を選択的に可視化するための、低コストで低電力のシステムを提供する。【解決手段】画像を選択的に可視化するためのシステムは、既存のディスペンサーに対して後付けするように構成された、遷移アセンブリを含む。この遷移アセンブリは、スイッチに結合されている遷移ウィンドウを含む。このスイッチは、ディスペンサーによって与えられるアクチュエータに対して動作可能に接触した状態で、取り付けられるように構成されている。アクチュエータが稼動すると、スイッチがトリガし、これにより、遷移ウィンドウが、少なくとも部分的に不透明な状態から少なくとも部分的に透明な状態に遷移し、これにより、その背後にある画像が、観察者に対して可視となる。【選択図】図１
2010092039.tif 000002
【特許請求の範囲】
【請求項１】
観察者に対して画像を選択的に可視化するためのディスペンサーであって、
アクチュエータの動作から電力を生成する発電ユニットに動作可能に接合しているアクチュエータと、
前記発電ユニットに結合され、受け面及び視認面を有し、少なくとも部分的に不透明な状態と少なくとも部分的に透明な状態との間で遷移するように構成されている遷移ウィンドウと、
前記受け面に視覚的に連通して前記画像を保持するように構成されている画像保持部と、を備えており、
前記アクチュエータが作動すると、前記発電ユニットが前記遷移ウィンドウに給電し、前記少なくとも部分的に不透明な状態から前記少なくとも部分的に透明な状態に遷移させ、観察者が前記視認面を介して前記画像を見ることを可能にする、ディスペンサー。
【請求項２】
一定量の材料を保持している補給コンテナをさらに備えており、前記補給コンテナが前記アクチュエータに動作可能に連通し、前記アクチュエータが作動したとき、前記材料が補給コンテナから分与される、請求項１記載のディスペンサー。
【請求項３】
前記発電ユニットが、前記アクチュエータが作動したときに、互いに対して相対的に動かされる金属コイル及びマグネットを備えている、請求項１記載のディスペンサー。
【請求項４】
観察者に対して画像を選択的に可視化するためのディスペンサーであって、
アクチュエータの動作から電力を生成する発電ユニットに動作可能に連通しているアクチュエータと、
受け面及び視認面を有し、少なくとも部分的に透明な状態と少なくとも部分的に不透明な状態との間で遷移するように構成されている遷移ウィンドウと、
前記遷移ウィンドウに結合されているとともに、前記アクチュエータに動作可能に接合されているスイッチと、
前記発電ユニットと前記スイッチとの間に結合されている携帯型の電源と、
前記受け面に視覚的に連通して前記画像を保持するように構成されている画像保持部と、
を備えており、
前記アクチュエータが作動すると、前記発電ユニットが前記携帯型の電源を充電するとともに、前記スイッチをオフ状態からオン状態に切り替え、これにより、前記携帯型の電源が前記遷移ウィンドウに給電し、前記少なくとも部分的に不透明な状態から前記少なくとも部分的に透明な状態に遷移させ、観察者が前記視認面を介して前記画像を見ることを可能にする、ディスペンサー。
【請求項５】
一定量の材料を保持している補給コンテナをさらに備えており、前記補給コンテナが前記アクチュエータに動作可能に連通し、前記アクチュエータが作動したとき、前記材料が補給コンテナから分与される、請求項４記載のディスペンサー。
【請求項６】
前記発電ユニットが、前記アクチュエータが作動したときに、互いに対して相対的に動かされる金属コイル及びマグネットを備えている、請求項４記載のディスペンサー。
【請求項７】
前記アクチュエータが、作動アームとスイッチングアームとを備えており、前記作動アームが前記発電ユニットに動作可能に連通し、かつ、前記スイッチングアームが前記スイッチに動作可能に接合している、請求項４記載のディスペンサー。
【請求項８】
少なくとも１つの取り付け穴を備えたディスペンサーに取り付けられるように構成されている、観察者に対して画像を選択的に可視化するためのシステムであって、
視認面の反対側にある受け面を有し、少なくとも部分的に透明な状態と少なくとも部分的に不透明な状態との間で遷移するように構成されている遷移ウィンドウを備えており、前記少なくとも１つの取り付け穴内に受け入れ可能な少なくとも１つの取り付けタブを保持しているハウジングと、
前記遷移ウィンドウに結合されているコントーラと、
前記コントローラに結合され、前記ディスペンサーに取り付けられて前記アクチュエータに接合されるように構成されているスイッチと、
前記ハウジングに取り付けられた枢動ドアであって、内部に前記画像を保持するための画像保持部を備えており、前記枢動ドアが閉鎖されたときに画像が前記受け面に隣接するようになっている枢動ドアと、
を備えており、
前記アクチュエータが作動すると、前記スイッチがオフ状態からオン状態に切り替えられ、前記遷移ウィンドウを前記少なくとも部分的に不透明な状態から前記少なくとも部分的に透明な状態に遷移させ、観察者が前記視認面を介して前記画像を見ることを可能にする、システム。
【請求項９】
前記コントローラに結合されている発電ユニットをさらに備えており、前記発電ユニットが、前記ディスペンサーに取り付けられて前記アクチュエータに接合されるように構成されており、前記アクチュエータが作動すると、前記発電ユニットが、前記オン状態にあるときに前記遷移ウィンドウに電力を供給するために使用される携帯型の電源を充電する、請求項８記載のシステム。
【請求項１０】
前記発電ユニットが、前記アクチュエータが作動したときに、互いに対して相対的に動かされる金属コイル及びマグネットを備えている、請求項９記載のシステム。
【請求項１１】
前記アクチュエータが、前記スイッチに動作可能に接合されているスイッチングアームを有している、請求項８記載のシステム。
【請求項１２】
前記アクチュエータが、前記発電ユニットに動作可能に接合されている接合アームを有している、請求項９記載のシステム。
【請求項１３】
少なくとも１つの取り付け穴を有するディスペンサーに取り付けられるように構成されている、観察者に対して画像を選択的に可視化するためのシステムであって、
視認面の反対側にある受け面を有し、少なくとも部分的に透明な状態と少なくとも部分的に不透明な状態との間で遷移するように構成されている遷移ウィンドウを備えており、前記少なくとも１つの取り付け穴内に受け入れ可能な少なくとも１つの取り付けタブを保持しているハウジングと、
前記遷移ウィンドウに結合され、前記ディスペンサーに取り付けられて前記アクチュエータによって稼動されるように構成されている発電ユニットと、
前記ハウジングに取り付けられた枢動ドアであって、内部に前記画像を保持するための画像保持部を備え、前記枢動ドアが閉止されたときに画像が前記受け面に隣接するようになっている枢動ドアと、
を備えており、
前記アクチュエータが作動すると、前記発電ユニットが前記遷移ウィンドウに電力を供給し、遷移ウィンドウを前記少なくとも部分的に不透明な状態から前記少なくとも部分的に透明な状態に切り替え、観察者が前記視認面を介して前記画像を見ることを可能にする、システム。
【請求項１４】
前記アクチュエータが、前記発電ユニットに動作可能に連通されている作動アームを有している、請求項１３記載のシステム。
【請求項１５】
観察者に対して画像を選択的に可視化するためのシステムであって、
受け面及び視認面を有し、少なくとも部分的に透明な状態と少なくとも部分的に不透明な状態との間で遷移するように構成されている遷移ウィンドウと、
前記遷移ウィンドウに結合されているコントーラと、
前記コントローラに結合されているアクチュエータと、
前記受け面に視覚的に連通して前記画像を保持するように構成されている画像保持部と、
を備えており、
前記アクチュエータが作動すると、前記遷移ウィンドウが前記少なくとも部分的に不透明な状態から前記少なくとも部分的に透明な状態に遷移し、観察者が前記視認面を介して前記画像を見ることを可能にする、システム。
【請求項１６】
前記画像保持部が、前記受け面に視覚的に連通している前記画像を除去可能に保持するように構成されている、請求項１５記載のシステム。
【請求項１７】
前記遷移ウィンドウが、高分子分散型の液晶（ＰＤＬＣ）材料、懸濁粒子デバイス（ＳＰＤ）材料及びエレクトロクロミック材料からなるグループから選択された材料から形成されている、請求項１５記載のシステム。
【請求項１８】
前記遷移ウィンドウが、所定の時間が経過した後、前記少なくとも部分的に透明な状態から前記少なくとも部分的に不透明な状態に遷移する、請求項１５記載のシステム。
【請求項１９】
前記アクチュエータ、前記画像保持部、前記コントローラ及び前記遷移ウィンドウが、少なくとも部分的にハウジングによって保持されている、請求項１５記載のシステム。
【請求項２０】
前記コントローラに結合されている分与ユニットと、
前記分与ユニットに動作可能に連通している少なくとも１つの分与アイテムを保持している補給ユニットと、
をさらに備えており、
前記分与ユニットと前記補給ユニットが前記コントローラに結合され、
前記アクチュエータが作動することで、少なくとも１つの分与アイテムが分与される、請求項１９記載のシステム。
【請求項２１】
前記ハウジングが、前記画像保持部に動作可能に連通しているアクセスポートを備えており、そこから前記画像を除去及び受け入れ可能にしている、請求項２０記載のシステム。
【請求項２２】
前記アクチュエータが、固定具によって遠隔的に保持されている、請求項１５記載のシステム。
【請求項２３】
観察者に対して画像を選択的に可視化するための方法であって、
受け面及び視認面を有し、少なくとも部分的に不透明な状態と少なくとも部分的に透明な状態とを有する遷移ウィンドウを提供するステップと、
前記受け面に視覚的に連通している画像を提供するステップと、
前記視認面を介して前記画像を可視化するために、前記ウィンドウを、前記少なくとも部分的に不透明な状態から前記少なくとも部分的に透明な状態に遷移するように作動させるステップと、
を含む方法。
【請求項２４】
所定時間後に、前記ウィンドウが前記少なくとも部分的に不透明な状態に戻る、請求項２３記載の方法。
【請求項２５】
前記２番目の画像を提供するステップが、前記画像を画像保持部内に収納するステップによって実行される、請求項２３記載の方法。
【請求項２６】
観察者の存在を検出するための近接センサを提供するステップをさらに含んでおり、
前記作動ステップが、観察者の存在を検出したときに実行される、請求項２３記載の方法。
【請求項２７】
観察者の存在を検出するための近接センサを提供するステップをさらに含んでおり、
前記作動ステップが、観察者の存在を検出したときに実行される、請求項２３記載の方法。
【発明の詳細な説明】
【技術分野】
【０００１】
概して、本発明は、除去可能な画像を選択的に可視化するためのシステムに関する。具体的には、本発明は、除去可能な画像を選択的に可視化するために、遷移液晶（ＬＣ）ウィンドウを対象としている。さらに具体的には、本発明は、既存のディスペンサーに対して容易に後付けが可能な遷移ウィンドウを含んでいる、遷移アセンブリを対象としている。
【背景技術】
【０００２】
広告、展示、及び他の情報提供のための表示、又はコンテンツは、我々の環境において、あらゆるところに存在するレベルに達してきている。このため、長い時間をかけて、人々は、それらから伝えられてくる情報あるいはメッセージを、遮断するか、さもなければ無視することに、非常に巧みになってきた。どうにかして個々人の注意を引きつけ、この障害を乗り越えるために、広告キャンペーンはきめ細かくデザインされ、そして強制的な手法で情報を提示するため、またターゲットとなる個人の興味及びセンスにアピールするための、バラエティ豊かな技術を採用している。従って、そのメッセージを潜在的な消費者に伝えるための、特定の広告あるいはマーケティングに関する努力の成功は、かなりの程度まで選択されたメディアに強く依存する。しかしながら、消費者の興味を引きつけるために必要となる不可欠のアピールを含むマーケティングキャンペーンを開発及び製作することにかかるコスト及び費用は、莫大である。さらに、ターゲットとなる個人の注意を引きつけるために、動いている動的な映像又はコンテンツを利用している広告キャンペーンは、そのような概念を実行するために、莫大な量の実現努力を必要とするため、コスト高である。
【０００３】
動的な情報コンテンツの製作におけるコストに加えて、コンテンツを表示するためのフラットスクリーンディスプレイなどのディスプレイユニットのコスト、及びそのようなディスプレイの操作に付随するコストも、同様に、著しく高額である。従って、このようなディスプレイが最終的に導入されることになる場所の全体数は制限される。さらに、上記のようなディスプレイに表示されている動的なコンテンツを継続的に更新することも、同様に、コストがかかるとともに、多大な時間を必要とする。このため、情報提供用の動的なコンテンツを提示することの可能なディスプレイを導入し維持することには、それに関連する莫大なコストがかかるのである。対照的に、静止している、すなわち動かない情報提供用のコンテンツ、例えばポスター、広告用掲示板及び雑誌において具現化されている印刷されたコンテンツなどは、動的なコンテンツに比べて、はるかに安く製作される。しかしながら、このようなコンテンツは、一般的に、ターゲットとなる個人の興味及び注意を引きつけるという点において、効果が小さい。
【０００４】
さらに、多くのディスプレイユニットは、このユニットに電力を供給するために、電源コンセントのような主電源を利用している。しかしながら、主電源へのアクセスが比較的に制限されているために、人通りの多いエリアあるいは他の望ましい特質を有するエリアにそれらを配置することは、ディスプレイユニットの提供者にとっては困難である。さらに、十分な数の主電源がないために、十分な量のディスプレイユニットを設置することができない可能性もある。その結果、ディスプレイユニットの提供者は、ディスプレイユニットによって表示される画像から、望ましいレベルの注意を引き出すことができなくなっている。
【０００５】
従って、画像に対するアクセスを、権限を与えられた者のみに制限するロックアセンブリを提供する、遷移アセンブリが必要とされている。また、既存のディスペンサーに対して容易に後付けが可能な、遷移アセンブリが必要とされている。さらに、携帯型の電源によって、あるいは自給的な電力生成システムによって電力供給を受けることの可能な、遷移アセンブリが必要とされている。
【０００６】
従って、個人の注意を引きつけるために、ほぼ不透明な状態とほぼ透明な状態との間で遷移する遷移ウィンドウによって、静的な印刷画像のような画像を選択的に可視化するための、低コストで低電力のシステムが必要とされている。さらに、所望により、除去可能に取り替えられることの可能な画像に関連している遷移ウィンドウを利用する、画像を選択的に可視化するためのシステムが必要とされている。さらに、ディスペンサーあるいは他の任意の好適な構成に関連している遷移ウィンドウを利用する、画像を選択的に可視化するためのシステムが必要とされている。
【発明の概要】
【発明が解決しようとする課題】
【０００７】
前記に鑑み、本発明の第１の態様は、画像を選択的に可視化するためのシステムを提供することである。
【課題を解決するための手段】
【０００８】
前記に鑑み、本発明における第１の態様は、観察者に対して画像を選択的に可視化するためのディスペンサーであって、アクチュエータの動作から電力を生成する発電ユニットに動作可能に接合しているアクチュエータと、前記発電ユニットに結合され、受け面及び視認面を有し、少なくとも部分的に不透明な状態と少なくとも部分的に透明な状態との間で遷移するように構成されている遷移ウィンドウと、前記受け面に視覚的に連通して前記画像を保持するように構成されている画像保持部とを備えており、前記アクチュエータが作動すると、前記発電ユニットが前記遷移ウィンドウに給電し、前記少なくとも部分的に不透明な状態から前記少なくとも部分的に透明な状態に遷移させ、観察者が前記視認面を介して前記画像を見ることを可能にする、ディスペンサーを提供している。
【０００９】
本発明の別の態様は、観察者に対して画像を選択的に可視化するためのディスペンサーであって、アクチュエータの動作から電力を生成する発電ユニットに動作可能に連通しているアクチュエータと、受け面及び視認面を有し、少なくとも部分的に透明な状態と少なくとも部分的に不透明な状態との間で遷移するように構成されている遷移ウィンドウと、前記遷移ウィンドウに結合されているとともに、前記アクチュエータに動作可能に接合されているスイッチと、前記発電ユニットと前記スイッチとの間に結合されている携帯型の電源と、前記受け面に視覚的に連通して前記画像を保持するように構成されている画像保持部とを備えており、前記アクチュエータが作動すると、前記発電ユニットが前記携帯型の電源を充電するとともに、前記スイッチをオフ状態からオン状態に切り替え、これにより、前記携帯型の電源が前記遷移ウィンドウに給電し、前記少なくとも部分的に不透明な状態から前記少なくとも部分的に透明な状態に遷移させ、観察者が前記視認面を介して前記画像を見ることを可能にする、ディスペンサーを提供することである。
【００１０】
本発明のさらに他の態様は、少なくとも１つの取り付け穴を備えたディスペンサーに取り付けられるように構成されている、観察者に対して画像を選択的に可視化するためのシステムであって、視認面の反対側にある受け面を有し、少なくとも部分的に透明な状態と少なくとも部分的に不透明な状態との間で遷移するように構成されている遷移ウィンドウを備えており、前記少なくとも１つの取り付け穴内に受け入れ可能な少なくとも１つの取り付けタブを保持しているハウジングと、前記遷移ウィンドウに結合されているコントーラと、前記コントローラに結合され、前記ディスペンサーに取り付けられて前記アクチュエータに接合されるように構成されているスイッチと、前記ハウジングに取り付けられた枢動ドアであって、内部に前記画像を保持するための画像保持部を備えており、前記枢動ドアが閉鎖されたときに画像が前記受け面に隣接するようになっている枢動ドアとを備えており、前記アクチュエータが作動すると、前記スイッチがオフ状態からオン状態に切り替えられ、前記遷移ウィンドウを前記少なくとも部分的に不透明な状態から前記少なくとも部分的に透明な状態に遷移させ、観察者が前記視認面を介して前記画像を見ることを可能にする、システムを提供することである。
【００１１】
本発明におけるさらに別の態様は、少なくとも１つの取り付け穴を有するディスペンサーに取り付けられるように構成されている、観察者に対して画像を選択的に可視化するためのシステムであって、視認面の反対側にある受け面を有し、少なくとも部分的に透明な状態と少なくとも部分的に不透明な状態との間で遷移するように構成されている遷移ウィンドウを備えており、前記少なくとも１つの取り付け穴内に受け入れ可能な少なくとも１つの取り付けタブを保持しているハウジングと、前記遷移ウィンドウに結合され、前記ディスペンサーに取り付けられて前記アクチュエータによって稼動されるように構成されている発電ユニットと、前記ハウジングに取り付けられた枢動ドアであって、内部に前記画像を保持するための画像保持部を備え、前記枢動ドアが閉止されたときに画像が前記受け面に隣接するようになっている枢動ドアとを備えており、前記アクチュエータが作動すると、前記発電ユニットが前記遷移ウィンドウに電力を供給し、遷移ウィンドウを前記少なくとも部分的に不透明な状態から前記少なくとも部分的に透明な状態に切り替え、観察者が前記視認面を介して前記画像を見ることを可能にする、システムを提供することである。
【００１２】
本発明の別の態様は、観察者に対して画像を選択的に可視化するためのシステムであって、受け面及び視認面を有し、少なくとも部分的に透明な状態と少なくとも部分的に不透明な状態との間で遷移するように構成されている遷移ウィンドウと、前記遷移ウィンドウに結合されているコントーラと、前記コントローラに結合されているアクチュエータと、前記受け面に視覚的に連通して前記画像を保持するように構成されている画像保持部とを備えており、前記アクチュエータが作動すると、前記遷移ウィンドウが前記少なくとも部分的に不透明な状態から前記少なくとも部分的に透明な状態に遷移し、観察者が前記視認面を介して前記画像を見ることを可能にする、システムを提供することである。
【００１３】
本発明のさらに別の態様は、観察者に対して画像を選択的に可視化するための方法であって、受け面及び視認面を有し、少なくとも部分的に不透明な状態と少なくとも部分的に透明な状態とを有する遷移ウィンドウを提供するステップと、前記受け面に視覚的に連通している画像を提供するステップと、前記視認面を介して前記画像を可視化するために、前記ウィンドウを、前記少なくとも部分的に不透明な状態から前記少なくとも部分的に透明な状態に遷移するように作動させるステップとを含む方法を提供することである。
【図面の簡単な説明】
【００１４】
【図１】本発明の概念による、画像を選択的に可視化するためのシステムのブロック図である。
【図１Ａ】本発明の概念による、画像を選択的に可視化するための、光源を利用していないシステムのブロック図である。
【図２】本発明の概念による、ディスペンサーとともに使用するように構成された場合の、画像を選択的に可視化するためのシステムのブロック図である。
【図３Ａ】本発明の概念による、その背後に配された画像を不明瞭にするために遷移ウィンドウを実質的に不透明とする、液体ディスペンサーとして具体化された、画像を選択的に可視化するためのシステムの正面図である。
【図３Ｂ】本発明の概念による、図３Ａに示された画像を選択的に可視化するためのシステムにおける側面図である。
【図３Ｃ】本発明の概念による、ウィンドウを介した画像の表示を可能とするために遷移ウィンドウを実質的に透明とする、液体ディスペンサーとして具体化された、画像を選択的に可視化するためのシステムの正面図である。
【図４】本発明の概念による、タオルディスペンサーとして具体化された場合の、画像を選択的に可視化するためのシステムの斜視図である。
【図５】本発明の概念による、男性用小便器に関連している独立型のデバイスとして利用されている場合の、画像を選択的に可視化するためのシステムの斜視図である。
【図６】本発明の概念による、スプレー噴霧器に関連して利用されている場合の、画像を選択的に可視化するためのシステムの斜視図である。
【図７】本発明の概念による、蛇口に設置する等、遠隔設置されたハンズフリーのアクチュエータを提供する独立型のデバイスとして構成されている場合の、画像を選択的に可視化するためのシステムの斜視図である。
【図８】本発明の概念による、画像を選択的に可視化するためのシステムにおける、代替実施形態のブロック図である。
【図９】本発明の概念による、図８に示した画像を選択的に可視化するためのシステムにおける、別の代替実施形態のブロック図である。
【図１０】本発明の概念による、図８に示した画像を選択的に可視化するためのシステムにおける、別の代替実施形態のブロック図である。
【図１１】本発明の概念による、画像を選択的に可視化するためのシステムを保持するためのハウジングを提供する遷移アセンブリの分解斜視図である。
【図１２】本発明の概念による、開放位置にある枢動ドアを有する遷移アセンブリの斜視図である。
【図１３】本発明の概念による、ドアを閉止位置で示している、遷移アセンブリの後部の斜視図である。
【図１４】本発明の概念による、遷移アセンブリの前部の斜視図である。
【図１５】本発明の概念による、遷移アセンブリが後付けされるディスペンサーの斜視図である。
【図１６】本発明の概念による、スイッチ及び発電ユニットの取り付けを示している、ディスペンサーの後部の斜視図である。
【図１７】本発明の概念による、ディスペンサーの後部における別の斜視図であり、スイッチに対して動作可能に連絡しているスイッチングアーム、及び発電ユニットに対して動作可能に連絡している接合アームを示す。
【図１８】本発明の概念による、遷移アセンブリの取り付けを示している、ディスペンサーの前部の斜視図である。
【図１９】本発明の概念による、遷移アセンブリを完全に後付けされているディスペンサーの前部の斜視図である。
【発明を実施するための形態】
【００１５】
本発明のこれらの及び他の特徴及び利点は、後述する説明、添付されている特許請求の範囲、及び添付図面を参照して、よりよく理解されるであろう。
【００１６】
画像を選択的に明示又は可視化させるためのシステムは、図１及び２に示されるとおり、番号１０によって概して示されている。具体的には、システム１０は、ポリマー分散液晶ウィンドウなど、実質的に不透明な状態、又は少なくとも部分的に不透明な状態から、実質的に透明な状態、又は少なくとも部分的に透明な状態へと、選択的に遷移するように構成された遷移ウィンドウ２０を備えている。すなわち、以下の説明において使用されるとき、用語「不透明状態」及び「透明状態」の使用は、実質的に不透明、又は少なくとも部分的に不透明である不透明状態、及び実質的に透明、又は少なくとも部分的に透明である透明状態を意図している。さらに、遷移ウィンドウ２０は、画像保持部４０を観察者５０の視線又は視野から隔てるように、システム１０によって保たれている。従って、画像保持部４０が、印刷による広告物やその他の情報コンテンツなどといった画像６０を、着脱可能に保持するように構成されている。以下の説明の目的において、用語「画像」は、任意の情報、通知、広告、映像、メッセージ、などと定義される。例えば、画像６０は、紙片上の印刷による文字を含むことができる。従って、システム１０の動作時、観察者５０は、ウィンドウ２０が不透明状態から透明状態へと移行するときに画像６０を眺めることができる。不透明状態と透明状態との間の移行は、スイッチの操作、又は人もしくは人の手の存在を検出するように構成された近接検出器による入力などを含む、種々の要因からの入力など、さまざまな基準に従って制御することができる。このように、システム１０が、メッセージ又は情報コンテンツを観察者５０の注意を引きつける方法で画像６０によって伝達することを可能にし、これにより画像６０によってもたらされる情報コンテンツの効果を高める。さらに、画像保持部４０が、ユーザが画像６０を迅速かつ容易に交換することを可能にし、画像６０によって伝達される情報コンテンツを迅速かつ簡単なやり方で更新することを可能にする。実質的に透明な状態、部分的に透明な状態、部分的に不透明な状態、及び実質的に不透明な状態の間には、連続性が存在すると考えられるが、一般に、観察者５０が、遷移ウィンドウ２０が透明な状態にあるときに、遷移ウィンドウが不透明な状態にあるときよりも明瞭に画像６０を視認できることを理解すべきである。
【００１７】
具体的には、システム１０は、ハウジング７０内に保持され、あるいは他の方法によってハウジング７０内に配置される。ハウジング７０を、ディスペンサー、装備品、又は器具を含むがこれにかぎらない、任意の所望の構造と一体に構成することができ、あるいは他の方法で任意の所望の構造に組み合わせることができる。例えば、ハウジング７０を、石けんディスペンサー、タオルディスペンサー、スプレー噴霧器、トイレ、又は男性用小便器と一体に形成することができる。あるいは、ハウジング７０を、任意の所望の位置に取り付けることができる独立の装置として形成してもよいことを、理解すべきである。さらに、ハウジング７０は、後述される機能を実行するための任意の適切な汎用又は特定用途の演算装置を備えるコントローラ１００を保持している。一態様においては、コントローラ１００が、システム１０の動作を促進するために、不揮発メモリ、揮発メモリ、又は両者の組み合わせを保持することができる。さらに、ハウジング７０を、例えばプラスチック、鋼、又はアルミニウムなどといった任意の適切な材料で形成でき、任意の適切なサイズ又は形状にできることを、理解すべきである。
【００１８】
実質的に透明な状態から実質的に不透明な状態への選択的な移行、及びこの反対の選択的な移行を行うように構成された遷移ウィンドウ２０が、コントローラ１００に電気的に接続されている。遷移ウィンドウ２０は、受け面１１０を視認面１２０の反対側に保持しており、遷移ウィンドウ２０を、面１１０及び１２０が互いに反対向きであるように構成することができるが、面１１０及び１２０がお互いに対して任意の所望の角度又は位置に向けられてよい他の構成も想定される。さらに、反対向きの面１１０及び１２０を、任意の所望の形状、サイズ、又は外形をとるように寸法付けることができる。遷移ウィンドウ２０は、ポリマー分散液晶（ＰＤＬＣ）で形成されたウィンドウを備えており、あるいは遷移ウィンドウ２０を、懸濁粒子装置（ＳＰＤ）として構成してもよい。しかしながら、遷移ウィンドウ２０が、エレクトロクロミック装置、ならびに不透明又は実質的に不透明な状態から透明又は実質的に透明な状態へと変化するように制御することができる任意の他の装置を備えることも、想定することができる。
【００１９】
システム１０の構成要素に電力を供給するように構成された電源１３０が、コントローラ１００へと接続されている。電源１３０は、電池などの可搬のＤＣ（直流）電源を備えてもよく、あるいは電源１３０を、１２０ＶＡＣ（交流）などのＡＣ（交流）コンセント電源から電力を受け取って、システム１０を動作させるために適した形式へと変換するように構成してもよい。また、電源１３０が、太陽光又は光起電電源あるいは他の任意の電力源を備え得ることも、想定することができる。さらに、電源１３０が、可搬の電力及び太陽光及び／又はコンセントの電力あるいは他の任意の適切な電源の組み合わせを備えてもよいことを、理解すべきである。さらに、電源１３０は、システム１０のみに電力を供給してもよく、あるいは他の実施形態においては、システム１０及びシステム１０が一体化されてなる構造の他の態様の両者に電力を供給してもよい。例えば、システム１０を、流体を分与するように構成されたハンズフリーディスペンサーに一体化してもよく、両者を電源１３０によって動作させることができる。さらに、遷移ウィンドウ２０が必要とする電力は少ないため、電池又は他の可搬の電源が使用される場合に、システム１０をより長く動作させることが可能である。
【００２０】
画像保持部４０が、受け面１１０に隣接して保持されており、画像保持部は、画像６０を遷移ウィンドウ２０が透明又は実質的に透明な状態にあるときに視認面１２０を介して観察者５０へと選択的に可視化できるよう、画像６０を遷移ウィンドウ２０に視覚的に整列させて着脱可能に保持するように構成されている。画像保持部４０を、受け面１１０に隣接しているとして説明されているが、画像保持部４０を、受け面１１０に視覚的に連絡している限りにおいて、受け面１１０に対して任意の所望の位置に向けることができることを、理解すべきである。例えば、画像保持部４０が、受け面１１０から離れて位置してもよく、画像６０からの像を、鏡又は任意の他の好適な手段を介して受け面１１０へと案内することができる。
【００２１】
さらに、画像保持部４０が、画像６０を所定の位置に保持、支持、担持、又は他の方法で維持することができる任意の好適な装置を備えてもよいが、一方、他の実施形態においては、依然として画像６０の取り外し及び交換を可能にしている。このように、画像保持部４０は、システム１０を維持するユーザが、画像６０によってもたらされるコンテンツを容易にカスタマイズ及び／又は更新できるようにしている。しかしながら、特定の実施形態においては、画像６０を画像保持部４０に恒久的に取り付け又は配置することも考えられる。
【００２２】
一態様においては、システム１０を、個人が所望に応じて画像６０に直接アクセスして取り外し又は交換を行うことができるよう、ハウジング７０に例えばスロットなどのアクセス口１６０を備えて構成してもよい。また、アクセス口１６０経由での画像保持部４０へのアクセスを、ロック装置１７０によって権限のある者だけに限定することも考えられる。ロック装置１７０は、適切な権限を持たない者が画像保持部４０からの画像の取り出し及び／又は画像保持部４０への画像の挿入を行うことを防止するロック用ドア又は任意の他の適切な装置を備えることができる。
【００２３】
画像６０は、画像保持部４０によって所定の位置に保持することができ、あるいは遷移ウィンドウ２０の受け面１１０に視覚的に連絡させて配置することができる任意の適切な材料を含むことができる。一態様においては、画像６０が、広告、看板、文章／図形コンテンツ、ならびに任意の他の情報コンテンツを含むことができる。例えば、画像６０を、紙片上又は厚紙片上、あるいは画像保持部４０によって受け入れられて保持されるような寸法にした任意の他の適切な素材上に配置することができる。このようにして、システム１０が石けんディスペンサーに組み合わせて使用されるとき、画像６０が、ユーザの手の洗浄を奨励する情報を提供することができる。
【００２４】
また、特定の実施形態においては、画像６０を任意の適切な照明源によって照明することも考えられる。例えば、画像６０を、光を遷移ウィンドウ２０に作用可能に伝えるように構成された光源１８０によって照明することができる。すなわち、光源１８０から発せられる光を、光パイプ、光ファイバ、又は他の適切な導光手段によって、遷移ウィンドウ２０の１つ以上の縁へと案内することができる。光をウィンドウ２０の縁へと供給することによって、光が、画像６０を照明すべく遷移ウィンドウ２０を通って運ばれる。このような動作は、観察者５０の注意を画像６０へとさらに引きつけるように機能する。また、コントローラ１００へと接続された光センサ１８２によって検出されるシステム１０の周囲の周辺光の変化にもとづいて、光源１８０を起動させることも考えられる。あるいは、システム１０を、図１Ａに示されるとおり光源１８０を持たせずに構成し、依然としてシステム１０の周囲の環境周辺光を使用して観察者５０が画像６０を視認できるようにすることも可能である。
【００２５】
遷移ウィンドウ２０の不透明状態と透明状態との間の移行は、コントローラ１００へと接続されたアクチュエータ２００によって制御される。アクチュエータ２００は、操作されたとき、又は他の方法で適切な要因を受け取ったときに、画像６０を観察者５０へと表示することができるようにコントローラ１００に遷移ウィンドウ２０を作動させて、実質的に不透明な状態から実質的に透明な状態へと移行させるボタン、スイッチ、又は近接センサ等の他の装置を備えることができる。例えば、アクチュエータ２００が１人以上の人の存在又は不在を検出できる近接センサを備える場合には、コントローラ１００が、アクチュエータ２００の付近に人が存在する場合に不透明から透明へのウィンドウ２０の状態変化を開始させ、人がもはやアクチュエータ２００の付近に存在しない場合に透明から不透明への状態変化を同様に開始させる。
【００２６】
別の態様においては、システム１０を、遷移ウィンドウ２０が透明又は実質的に透明な状態へと移行したときに、コントローラ１００によって維持されるタイマーが開始されるように構成することができる。５秒等の、所定の時間が経過した後に、コントローラ１００が、遷移ウィンドウ２０を再び不透明又は実質的に不透明な状態へと移行させて戻し、これによって画像６０を観察者５０の視野から遮り、あるいは不明瞭にする。さらに、システム１０が、遷移ウィンドウ２０の不透明状態と透明状態との間の移行を制御するための他の枠組み又は手順を利用してもよく、従って本明細書に開示される枠組み又は手順を、本発明を限定するものとして解釈してはならないことを、理解すべきである。
【００２７】
例えば、システム１０、又はシステム１０の動作を制御するハンズフリー分与システムなどの他のシステムを、ユーザが石けんの分与に応じて手の洗浄を開始するときに、画像６０を表示すべく遷移ウィンドウ２０を透明又は実質的に透明な状態にするように構成することができる。ひとたび石けんが分与されると、システム１０又はシステム１０に組み合わせられた他のシステムが、疾病対策センター（ＣＤＣ）が設定している時間期間等、手の充分な洗浄に一致する充分な時間がいつ経過するかを確認する。この時間期間が経過すると、遷移ウィンドウ２０が不透明状態へと移行し、石けんを手から洗い流す時間であることを知らせる。一態様においては、このような時限プロセスに組み合わせられた画像６０が、時限プロセスが実行されていることを個人に注意喚起する情報コンテンツを表示することができる。
【００２８】
以上、システム１０の全体的な構成要素について記載したので、以下の説明は、すでに述べた動作の特徴を使用する具体的な実施形態を目的とする。
【００２９】
ハウジング７０がディスペンサー３００を備えているシステム１０の実施形態が、図２及び図３Ａ〜Ｃに示されている。ディスペンサー３００は、例えば石けんなどの液体を分与するように構成されており、アクチュエータ２００が操作されると、ポンプなどの分与ユニット３１０が駆動され、分与ユニット３１０に動作可能に連絡した状態に保たれる補給ユニット又は容器３２０によってもたらされる石けんなど、或る量の物質又は物品の分注を分与する。アクチュエータ２００の操作に一致して、遷移ウィンドウ２０が、図３Ａに示されているような実質的に不透明な状態から、図３Ｃに示されているような透明状態へと移行し、画像６０を所定の時間期間にわたって、あるいは、人がアクチュエータ２００の付近から去る等、アクチュエータ２００が他の何らかの状態の変化を検出するまで表示する。図３Ｂに示されるように、画像保持部４０が、画像６０を載せることができる棚状部分３３０を備えてもよいことを、理解すべきである。さらに、ディスペンサー３００が液体ディスペンサーとして提示されているが、ディスペンサー３００を、任意の所望の物質の分与に容易に適合させてもよいことを、理解すべきである。
【００３０】
代替の実施形態においては、図４に示されているとおり、システム１０を保持するハウジング７０が、タオルディスペンサー３５０を備えることができる。タオルディスペンサー３５０は、アクチュエータ２００が操作されたときに個人へタオルを提供するように構成された分与スロット３５２を保持している。従って、遷移ウィンドウ２０は、アクチュエータ２００が起動されたときに実質的に不透明な状態から実質的に透明な状態へと移行するように構成されている。さらに、タオルディスペンサー３５０は、画像６０を所望に応じて更新又は交換できるよう、画像保持部４０及び画像保持部４０に配置された画像６０にアクセスするために開くことが可能なドア３６０を有してもよく、あるいは画像６０は、アクセス口１６０を介してアクセス可能であってよい。さらに、ドア３６０を、画像４０へのアクセスを制限するために、ロック機構を備えて構成してもよい。又は、代替として、画像６０を、すでに述べたようにアクセス口１６０を介して画像保持部４０へと挿入し、あるいは画像保持部４０から取り出してもよい。
【００３１】
さらに別の実施形態においては、システム１０を、図５に示されているように、アクチュエータ２００を保持するハウジング７０が独立したユニット３８０として形成されるように、構成することができる。一態様において、独立ユニット３８０を、自動トイレもしくは自動男性用小便器４００又は他の装置を作動させるために使用される電源と動作可能に接続できるように構成することができる。例えば、システム１０を、自動トイレ又は自動男性用小便器４００に備えられた水洗アクチュエータ４１２に供給される電源とシステム１０に備えられたコントローラ１００との間に電力線４０１が接続されるように、構成することができる。これにより、システム１０を、電池又は他の可搬の電源１３０を必要とすることなく、自動トイレ又は男自動性用小便器４００を動作させるために使用される電力によって直接駆動することができる。しかしながら、独立ユニット３８０を、電池などの可搬の電源又は任意の他の適切な電源によって駆動して、ユニット３８０を任意の所望の位置に配置できるようにしてもよいことを、理解すべきである。さらに、独立ユニット３８０のハウジング７０は、取り付け部４０４へ設置された枢動ドア４０２を備えている。画像保持部４０及び画像６０にアクセスするために、枢動ドア４０２を、選択的に開くことができる。従って、画像６０を更新すべき場合に、ドア４０２を画像６０の交換を可能にするために容易に開くことができる。取り付け部４０４は、例えばねじ又は接着剤などといった適切な固定具を用いてシステム１０を任意の所望の表面又は構造へと容易に取り付けできるようにする。さらに、枢動ドア４０２にアクセス口１６０を設け、ハウジング７０内の画像の取り出し及び新しい画像の挿入を容易にしてもよい。
【００３２】
別の実施形態においては、図６に示されているように、システム１０を、システム１０を保持するハウジング７０がスプレー噴霧器５００を備えるように構成することができる。一態様において、スプレー噴霧器５００を、分与ポート５１０を介して心地良い香りを提供すべく空気中へとエアロゾル化させた物質を分与するように構成することができる。従って、遷移ウィンドウ２０を、人がスプレー噴霧器５００の付近に存在することがアクチュエータ２００によって検出されたときに、実質的に不透明な状態から実質的に透明な状態へと移行するように構成することができる。また、スプレー噴霧器５００は、枢動ドア５２０又は枢動ドアに配置されたアクセス口１６０を介して画像６０にアクセスできるように、構成してもよい。
【００３３】
さらに、システム１０は、アクチュエータ２００をハウジング７０から離して保持し、独立したユニット３８０のコントローラ１００へ別途配線するように構成してもよい。例えば、アクチュエータ２００は、図７に示されているように、離れている蛇口などといった備品６００に保持された近接センサを備えることができるが、近接センサ２００を、任意の適切な備品、構造、又は表面に保持することができる。このようにして、人が備品６００の付近に来たとき、遷移ウィンドウ２０が、画像６０を表示すべく実質的に透明な状態へと変化させられる。このような構成によれば、遷移ウィンドウ２０を或る領域に配置しつつ、遷移ウィンドウ２０を制御するために使用されるトリガ動作を、別の領域のアクチュエータ２００によって検出することができる。別の態様においては、システム１０を、既存の装置に備えられている近接センサなどの既存の検出センサに後付けされるように構成することができる。例えば、ハンズフリー蛇口などのハンズフリー装置の場合に、近接センサ２００が、すでにそのような装置に組み込まれている可能性がある。従って、人の手の検出から遷移ウィンドウ２０の動作を開始又はトリガさせたいと望むユーザは、コントローラ１００を、任意の適切な通信インターフェイスを使用して、蛇口又は他の備品６００に備えられた近接センサ２００へと接続すればよい。
【００３４】
別の実施形態においては、図面の図８に示されているように、参照番号１０’によって指し示されている画像を選択的に可視化させるためのシステムを、既存のディスペンサー７００に後付けすることができる。具体的には、ディスペンサー７００が、ポンプ７０６に作用可能に接続されたアクチュエータ７０４を備えている。従って、ユーザがアクチュエータ７０４に物理的に関与すると、ポンプ７０６が駆動され、ポンプへと流動可能に接続された補給容器７１０からある量の物質が分与される。補給容器７１０が、石けん、殺菌剤、又は保湿剤など、任意の適切な物質を含んでよいことを、理解すべきである。システム１０’は、遷移ウィンドウ２０を、すでに述べたとおり画像保持部４０によって保持された画像６０に視覚的に整列させて備えている。コントローラ１００は、通常は、任意の適切な電池又は他の、太陽光の電力及びＡＣ（交流）外部コンセントの電源などを含む、任意の適切な電力源を備えている電源１３０によって電力を得る。遷移ウィンドウ２０の動作を開始させるために、スイッチ７３０が、アクチュエータ７０４と機械的に連絡して設けられている。従って、アクチュエータ７０４が操作されると、スイッチ７３０が切り替わり、これにより図１〜７に関して上述した様相で遷移ウィンドウ２０を少なくとも不完全に不透明な状態から少なくとも不完全に透明な状態へと切り替え、あるいはこの反対に切り替えるよう、コントローラ１００へと指令が送られる。システム１０’を、以下で詳しく説明されるとおり、既存のディスペンサー７００に容易に後付けできることを、理解すべきである。
【００３５】
さらに別の実施形態においては、図面の図９に示されているように、参照番号１０’’によって指し示されている画像を選択的に可視化させるためのシステムを、ディスペンサー７００に後付けして、アクチュエータ７０４の動作から生成される電力を利用して機能できるようにすることができる。すなわち、システム１０’’が、発電ユニット８００をアクチュエータ７０４に機械的に連絡させて備えており、人がアクチュエータ７０４を操作したときに、アクチュエータ７０４へと加えられた機械的な力が電力へと変換され、この電力が、充電式の電池、又はスーパーキャパシタなどを備えている電源１３０へと供給される。一態様においては、機械式の発電ユニット８００が、本出願と所有者が同一であり、参照することによって本明細書に組み込まれる「Dispensing System with Magnet and Coil for Power Generation」という名称の米国特許出願第１１／９９９，５３８号に開示の発電機構を備えることができる。例えば、発電ユニット８００は、アクチュエータ７０４が操作されたときにお互いに対して動き、電源１３０を充電するために使用される電力の生成をもたらすコイル及び磁石を備えることができる。遷移ウィンドウ２０への電力の供給を制御するために、アクチュエータ７０４は、スイッチ７３０にも機械的に連絡しており、アクチュエータ７０４が操作されたときにスイッチ７３０が切り替わり、電源１３０からの電力が遷移ウィンドウ２０へと届けられて、遷移ウィンドウ２０が少なくとも不完全に不透明な状態から少なくとも不完全に透明な状態へと移行し、ユーザによる画像６０の視認を可能にする。アクチュエータ７０４の操作と同時に、ポンプ７０６が作動して、補給容器７１０から物質を分与する。
【００３６】
さらに別の実施形態においては、図面の図１０に示されているように、参照番号１０’’’によって指し示されている画像を選択的に可視化させるためのシステムを、電源１３０及びスイッチ７３０を備えずに構成することができる。すなわち、アクチュエータ７０４が発電ユニット８００に作用可能に連絡していることで、アクチュエータ７０４が操作されると、発電ユニット８００が電力を生成して遷移ウィンドウ２０へと届け、遷移ウィンドウ２０を不透明又は少なくとも不完全に不透明な状態から透明又は少なくとも不完全に透明な状態へとすぐに移行させる。電源１３０が使用されていないため、システム１０’’’は、電池の交換を必要とせず、電気の出力が利用できる場所に制約される必要もない。
【００３７】
すでに述べたように、画像を選択的に可視化させるためのシステム１０’、１０’’、及び１０’’’を、図１１〜１９に示されるように、既存のディスペンサー７００への遷移ウィンドウ２０の機能の後付けを容易にする遷移アセンブリ８５０の一部として取り入れることができる。具体的には、遷移アセンブリ８５０は、１対のロック用取り付けタブ８５６を底部から延伸させて備えているハウジング８５２を備えている。ハウジング８５２は、さらに視認開口８６０を、ハウジング８５２へと枢動可能に取り付けられるドア８６２の反対側に配置して備えており、枢動ドア８６２が閉じられたとき、ドア８６２が、視認開口８６０の外周を境界付けている壁８６４によって視認開口８６０から隔てられ、ハウジング８５２内の内部領域８６６を形成する。一態様においては、ドア８６２が、ドア８６２の枢動を可能にするために、１対のはめ込みタブ８６８を、ハウジング８５２によってもたらされる対応するアーム８７０によって枢動可能に保持して備えている。
【００３８】
遷移ウィンドウ２０は、視認面１２０が視認開口８６０に隣接して位置し、受け面１１０がドア８６２に隣接するように、ハウジング８５２の内部領域８６６に、配置されて位置する。遷移ウィンドウ２０を所定の位置に保持するために、枠８７２が、受け面１１０に隣接してハウジング８５２内に取り付けられる。具体的には、枠８７２及びハウジング８５２が、枠８７２を所定の位置に保持すべくねじなどの適切な固定具８７５を受け入れて通過させるように構成されたそれぞれの取り付け穴８７３及び８７４を備えている。あるいは、枠８７２を、例えば接着剤又はリベットなど、任意の適切な固定手段を用いてハウジング８５２へと取り付けることができる。
【００３９】
コントローラ１００及び電源１３０が、遷移ウィンドウ２０へと取り付けられ、ハウジング８５２の内部領域８６６に配置される。電源１３０が、ボタン型電池、小型電池、又は任意の他の適切な電力貯蔵装置を備えることができることを、理解すべきである。一態様においては、コントローラ１００及び電源１３０を、ハウジング８５２の内部領域８６６から隔てるために、囲いカバー８８２を備える囲い８８０の内部に保持することができる。
【００４０】
ドア８６２は、外表面８９２の反対側に、対向する側面８９４及び８９６によって境界付けられた内表面８９０を備えており、各側面８９４及び８９６が、画像保持部４０を形成する保持溝９００を備えている。保持溝９００は、ドア８６２の内表面８９０から実質的に直角に延びた分岐部材９０２で構成されている。画像６０をドア８６２に隣接させて保持するように構成された保持アーム９０４が、ドア８６２の内表面８９０と実質的に平行であるように、分岐部材９０２から実質的に直角に延びている。さらに、ドア８６２の開閉を容易にするために、ドア８６２の外表面８６８にハンドルを配置してもよいことを、理解すべきである。
【００４１】
ドア８６２は、図１１に明瞭に示されているとおり、ロックアセンブリ９０８を備えるロック装置１７０をさらに備えている。ロックアセンブリ９０８は、ドア８６２によってもたらされるロック穴９１０へと作動可能に取り付けられており、接着剤又はスナップフィットなどといった任意の適切な固定手段を使用してロックノブ９１４へと接続されたロックタブ９１２を、ロック穴９１０の中で回転させることができる。ロックタブ９１２は、ハウジング８５２から延びるロック部材又はタブ９２６にそれぞれ係合及び離合するように構成された、弓形のロック部９２０と、そのようなロック部材又はタブ９２６から離れるように構成された実質的に平坦な解除部９２４とによって境界付けられた、内表面９１８の反対側の外表面９１６を備えている。ドア８６２の内表面８９０に向かって圧縮的に付勢された圧縮突起９３２を保持している圧縮タブ９３０が、圧縮突起９３２がドア８６２を貫いて延びる対応するストッパ穴９３４へと延びるように、ロックタブ９１２の内表面９１８に配置されている。これにより、圧縮タブ９３０の圧縮突起９３２がストッパ穴９３４に収容されているときは、ロックノブ９１４を回転させることができない。ロックノブ９１４は、ロックノブ９１４がキー９３８によって受け入れられたときにキー９３８に設けられた相補的なレシーバ９３７を受け入れるように構成されたキー溝９３６を備えている。さらに、キー９３８は、キー９３８上で自由に回転するリング９４０に配置されたキー突起９３９を備えている。キー突起９３９は、キー９３８がロックノブ９１４へと作用可能に接続されたときに、ドア８６２のストッパ穴９３４に収容されて、ストッパ穴９３４を貫いて延び、圧縮突起９３２をストッパ穴９３４の外へと押し出すように構成されており、これにより、ノブ９１４によってロックタブ９１２をロック状態又は解除状態へと回転させることができるようにする。
【００４２】
従って、ドア８６２をハウジング８５２に隣接した閉じ位置にロックすることが望まれる場合には、キー９３８が、リング９４０のキー突起９３９がドア８６２のストッパ穴９３４に収容されるようにして、ロックノブ９１４へと挿入される。キー突起９３９がストッパ穴９３４を貫いて延びて、圧縮タブ９３０の圧縮突起９３２に係合し、圧縮突起９３２をストッパ穴９３４から出てドア８６２の内表面から離れるように押すことで、キー９３８を回転させてロックタブ９１２を回転させ、ロック部９２０をロック部材９２６に隣接させてドア８６２をハウジング８５２へとロックすることができる。同様に、ドア８６２のロックの解放が望まれる場合には、キー９３８が、キー突起９３９がドア８６２のストッパ穴９３４に収容されるように、キーノブ９１４へと挿入される。キー突起９３９が、ストッパ穴９３４を貫いて延びて圧縮タブ９３０の圧縮突起９３２に係合し、圧縮突起９３２をストッパ穴９３４から出てドア８６２の内表面から離れるように押すことで、解除部９２４がロック部材９２６に隣接するようにロックタブ９１２を回転させることができ、ドア８６２を開くことができる。いずれの場合も、ロックノブ９１４がドア８６２をロック又は解放すべく回転させられるとき、ひとたびロックノブ９１４の回転が完了したならば、突起９３２がストッパ穴９３４に収容され、ノブ９１４が自由に回転することを防止することを、理解すべきである。このように、ロックアセンブリ９０８を使用することで、画像６０へのアクセスがキー９３８を有している権限を与えられた者だけに限定され、望ましくない画像６０の改ざんが防止される。
【００４３】
遷移ウィンドウ２０の切り替えを制御するために、制御線９４１は、一端がハウジング８５２の壁８６４の配線穴９４２を通って受け入れられてコントローラ１００へと接続される一方で、もう一方の端部が操作スイッチ７３０へと接続されるように設けられる。あるいは、制御線９４１を、発電ユニット８００によって生成された電力をコントローラ１００へと伝達するように構成してもよい。
【００４４】
このように、画像を選択的に可視化させるためのシステム１０’、１０’’、及び１０’’’のいずれかを備えるように構成された遷移アセンブリ８５０が、遷移アセンブリ８５０によってもたらされる画像を選択的に可視化させる機能を、ディスペンサー７００に事後に後付けすることを可能にする。
【００４５】
さらに図１５〜１９を参照し、遷移アセンブリ８５０のディスペンサー７００への後付けを容易にする遷移アセンブリ８５０の他の機能を説明する。特に、ディスペンサー７００は、壁又は他の構造への取り付けに適した取り付け板９７２から枢動するディスペンサーカバー９７０を備えている。さらに、ディスペンサーカバー９７０は、遷移アセンブリ８５０に備えられた対応する取り付けタブ８５６を収容するように構成された取り付け穴９５２を露出させるために、ディスペンサーカバー９７０から取り外すことができる打ち抜き部９５０を含んでいる。
【００４６】
遷移アセンブリ８５０の操作スイッチ７３０が、ディスペンサー７００の取り付け面９７４へと容易に取り付けできるように構成されている。例えば、図１６及び１７に示されるとおり、ディスペンサー７００は、アクチュエータ７０４へと取り付けられたスイッチアーム９７８の付近の領域にあるディスペンサー７００の取り付け面９７４に形成された保持タブ９７６を備えている。保持タブ９７６は、スイッチ７３０に備えられた保持穴９８０に受け入れられ、スイッチ７３０をスイッチアーム９７８に作動可能に連絡した状態に保つことができるように構成されている。保持タブ９７６及び保持穴９８０が、スナップフィット又は圧縮嵌めのシステムとして構成されているが、粘着テープ又は任意の他の適切な固定手段も使用できることを、理解すべきである。このようにして、機械的な技能に乏しい者によって設置が行われる場合に、スイッチ７３０のディスペンサー７００への設置又は後付けのプロセスが容易にされる。従って、アクチュエータ７０４が操作され、押されたときに、スイッチアーム９７８がスイッチ７３０に備えられたスイッチタブ９８２に係合し、遷移ウィンドウ２０の動作及び／又はディスペンサー７００の分与機能を開始させる。
【００４７】
代案として、発電ユニット８００が使用される実施形態においては、一式の保持タブ９８６が、アクチュエータ７０４から延びるテーパー状の縁９９１を有している操作アーム９９０の付近の領域において、ディスペンサーカバー９７０の内壁表面９８８から延びる。保持タブ９８６は、発電ユニット８００をディスペンサーの内表面９５６に隣接させて保持するよう、発電ユニット８００によって提供される保持穴９９２に収容されることによって構成されている。従って、アクチュエータ７０４が操作され、あるいは押されると、操作アーム９９０のテーパー状の縁９９１が、発電ユニット８００のスライドアーム９９６を上方に動かす。アクチュエータ７０４が放されると、スライドアーム９９６が、下方へと動くことができる。一態様においては、スライドアーム９９６を、磁石（図示されていない）へと取り付けることができ、この磁石がワイヤコイル（図示されていない）の内側を動くことで電力が生成され、制御線９４１を経由して遷移アセンブリ８５０へと供給される。すなわち、操作アーム９９０によって開始されるワイヤコイル内での磁石の上下運動によって、遷移アセンブリ８５０が使用する電力を生成することができる。
【００４８】
従って、遷移アセンブリ８５０をディスペンサー７００へと設置又は後付けするために、打ち抜き部９５０がディスペンサーカバー７９２から取り除かれ、制御線９４１が、露出された取り付け穴９５２のうちの１つを通って挿入される。次いで、取り付けタブ８５６が、ディスペンサーカバー７９２の取り付け穴９５２に配置され、遷移アセンブリ８５０が保持される。スイッチ７３０及び発電ユニット８００が、適切なコネクタを使用して制御線９４１へと接続され、上述したそれぞれの保持タブ９７６及び９８６とそれぞれの保持穴９８０及び９９２を使用して、ディスペンサー７００の内表面９５６に取り付けられる。
【００４９】
このように、遷移アセンブリ８５０が、工具を使用することなくユーザーフレンドリーなやり方で既存のディスペンサー７００へと後付けできるように構成されているが、遷移アセンブリ８５０を、所望であればディスペンサー７００と一体にしてもよいことを、理解すべきである。さらに、遷移アセンブリ８５０は、ユーザが遷移ウィンドウ２０の機能を、そのような機能が望まれる特定のディスペンサー７００だけに選択的に追加することを可能にする。さらに、発電ユニット８００を使用することで、遷移アセンブリ８５０を自給自足のやり方で動作させることができ、遷移アセンブリ８５０を、外部のコンセントからの電源や他の外部の動力源が利用できない場所で使用することができる。
【００５０】
従って、本発明の１つ以上の実施形態の利点の１つは、遷移アセンブリが、権限のない者の遷移アセンブリへのアクセスを制限するロック装置を提供することにあることを、理解できるであろう。本発明のさらに別の利点は、遷移アセンブリが、外部の電源が利用できるかどうかを心配することなく任意の所望の領域に取り付けることができる発電ユニットを提供する点にある。本発明のまた別の利点は、画像を観察者へと選択的に可視化する遷移ウィンドウを有している遷移アセンブリを、既存のディスペンサーへとユーザーフレンドリーなやり方で容易に後付けできる点にある。
【００５１】
本発明を、特定の実施形態を参照してかなり詳しく説明したが、他の実施形態も可能である。従って、添付の特許請求の範囲の精神及び範囲は、上述した実施形態の説明に限定されるものではない。
【図１】
2010092039.tif 000003
【図１Ａ】
2010092039.tif 000004
【図２】
2010092039.tif 000005
【図３Ａ】
2010092039.tif 000006
【図３Ｂ】
2010092039.tif 000007
【図３Ｃ】
2010092039.tif 000008
【図４】
2010092039.tif 000009
【図５】
2010092039.tif 000010
【図６】
2010092039.tif 000011
【図７】
2010092039.tif 000012
【図８】
2010092039.tif 000013
【図９】
2010092039.tif 000014
【図１０】
2010092039.tif 000015
【図１１】
2010092039.tif 000016
【図１２】
2010092039.tif 000017
【図１３】
2010092039.tif 000018
【図１４】
2010092039.tif 000019
【図１５】
2010092039.tif 000020
【図１６】
2010092039.tif 000021
【図１７】
2010092039.tif 000022
【図１８】
2010092039.tif 000023
【図１９】
2010092039.tif 000024
【外国語明細書】
2010092039000001.pdf